(57)【要約】      （修正有）【課題】外部機関に所属する知見者の能力を享有して相談事項の解決を円滑に進めることができる、知見者シェアリングシステム及び知見者シェアリングプログラムを提供する。【解決手段】研究室知見者管理装置１は、ネットワーク２に接続されたサーバであり、演算処理装置と記憶装置とを有する。相談者端末装置からの検索要求とともに相談者の相談事項を受け付けると、演算処理装置の研究室検索部は、記憶装置が有する複数の知見者が所属する複数の研究室１１−１〜１１−Ｎを示す研究室データ及び知見者データに基づいて、その複数の知見者を検索して、相談事項に対応する知見者を発見し、発見した知見者が所属する研究室１１−ｉを示す研究室リストを検索要求の応答として生成し、相談者端末装置へ送信する。【選択図】図１
2020027444.tif 000002
【特許請求の範囲】
【請求項１】
検索要求とともに相談者の相談事項を受け付ける相談事項受付部と、
（ａ）複数の知見者が所属する複数の研究室を示す研究室データに基づいて、前記複数の知見者を検索して、前記相談事項に対応する知見者を発見し、（ｂ）発見した前記知見者が所属する研究室を示す研究室リストを前記検索要求の応答として生成する研究室検索部と、
を備えることを特徴とする知見者シェアリングシステム。
【請求項２】
前記研究室検索部は、（ａ）発見した前記知見者の属性情報に基づいて、発見した前記知見者が所属する研究室の研究室スコアを導出し、（ｂ）前記研究室リストにおいて、前記研究室スコアに基づいて前記研究室を順番に配列することを特徴とする請求項１記載の知見者シェアリングシステム。
【請求項３】
前記研究室検索部は、（ａ）発見した前記知見者の、前記研究室内でのポジションに応じた知見者スコアを導出し、（ｂ）前記研究室に属する知見者の前記知見者スコアに基づいて前記研究室スコアを導出することを特徴とする請求項２記載の知見者シェアリングシステム。
【請求項４】
前記研究室データを生成または更新する研究室データ管理部をさらに備え、
前記研究室データ管理部は、（ａ）前記複数の知見者のうちの１人の知見者の属性情報を示す知見者データを、前記１人の知見者の所属する研究室の前記研究室データに関連付け、（ｂ）前記１人の知見者が別の研究室に異動した場合、前記１人の知見者の前記知見者データの関連付けを、異動前の前記研究室の前記研究室データから異動後の前記別の研究室の前記研究室データへ切り替えること、
を特徴とする請求項１から請求項３のうちのいずれか１項記載の知見者シェアリングシステム。
【請求項５】
コンピューターを、
検索要求とともに相談者の相談事項を受け付ける相談事項受付部、および
（ａ）複数の知見者が所属する複数の研究室を示す研究室データに基づいて、前記複数の知見者を検索して、前記相談事項に対応する知見者を発見し、（ｂ）発見した前記知見者が所属する研究室を示す研究室リストを前記検索要求の応答として生成する研究室検索部
として機能させる知見者シェアリングプログラム。
【発明の詳細な説明】
【技術分野】
【０００１】
本発明は、知見者シェアリングシステムおよび知見者シェアリングプログラムに関するものである。
【背景技術】
【０００２】
企業などの組織による研究開発活動などにおいて、その組織内に、研究開発活動などに必要な知見を有する者がいない場合、外部の知見者（専門家、研究者など）にアドバイスなどを受けることがある。
【０００３】
そのような知見者の紹介システムとして、知見者の過去の質問および回答、電子掲示板での発言などを記憶しておき、そのような過去の質問および回答、発言などに基づいて、質問者の質問に対応する知見者を検索し、発見した知見者を質問者に通知している（例えば特許文献１，２参照）。
【０００４】
また、ある技術開発スキルの仲介方法では、（ａ）参加企業が、インターネットに接続されたサーバーにおいて仮想総合研究所を運営し、（ｂ）参加企業の技術開発ニーズに対応する参加研究者が検索され、発見された参加研究者のために、仮想総合研究所内に仮想的な研究室サイトが開設され、（ｃ）その仮想的な研究室サイトにおいて技術開発計画が進められる（例えば特許文献３参照）。
【先行技術文献】
【特許文献】
【０００５】
【特許文献１】特開２００４−１０２７３０号公報
【特許文献２】特開２００５−２６６９３８号公報
【特許文献３】特開２００３−１２２８６２号公報
【発明の概要】
【発明が解決しようとする課題】
【０００６】
大学、大学院、研究所などの機関の本来の目的は教育や研究などであるが、外部の企業などの研究開発活動などに必要な知見を有している者がそのような機関に所属していることが多い。上述の技術では、このような機関に所属している者を知見者として紹介することが可能である。
【０００７】
しかしながら、上述のように知見者個人を検索し外部の相談者に対して提示する場合、外部の相談者からの相談に対する対応作業（相談事項に関する解決案、アドバイスなどの検討や提示）は、知見者の本来の業務とは異なるため、相談が比較的長い時間に渡ると、本来の業務に起因して、スケジュール上、相談事項（技術的な課題など）の解決が円滑に進まない可能性がある。
【０００８】
例えば、初回の相談をした知見者のスケジュール上、長期間、次回の相談が困難となった場合、別の知見者を探し、改めて、最初から相談をし直す必要がある。また、最初の知見者と次の知見者とが異なる機関に所属している場合、相談事項に対して異なる見解を有している可能性があり、その場合、相談事項（技術的な課題など）の解決案がまとまりにくくなる。
【０００９】
本発明は、上記の問題に鑑みてなされたものであり、外部機関に所属する知見者の能力を共有して相談事項の解決を円滑に進めることができる知見者シェアリングシステムおよび知見者シェアリングプログラムを得ることを目的とする。
【課題を解決するための手段】
【００１０】
本発明に係る知見者シェアリングシステムは、検索要求とともに相談者の相談事項を受け付ける相談事項受付部と、（ａ）複数の知見者が所属する複数の研究室を示す研究室データに基づいて、その複数の知見者を検索して、相談事項に対応する知見者を発見し、（ｂ）発見した知見者が所属する研究室を示す研究室リストを検索要求の応答として生成する研究室検索部とを備える。
【００１１】
本発明に係る知見者シェアリングプログラムは、コンピューターを、検索要求とともに相談者の相談事項を受け付ける相談事項受付部、および（ａ）複数の知見者が所属する複数の研究室を示す研究室データに基づいて、その複数の知見者を検索して、相談事項に対応する知見者を発見し、（ｂ）発見した知見者が所属する研究室を示す研究室リストを検索要求の応答として生成する研究室検索部として機能させる。
【発明の効果】
【００１２】
本発明によれば、外部機関に所属する知見者の能力を共有して相談事項の解決を円滑に進めることができる。
【００１３】
本発明の上記又は他の目的、特徴および優位性は、添付の図面とともに以下の詳細な説明から更に明らかになる。
【図面の簡単な説明】
【００１４】
【図１】図１は、本発明の実施の形態に係る知見者シェアリングシステムの構成を示すブロック図である。
【図２】図２は、図１における研究室知見者管理装置１の構成を示すブロック図である。
【図３】図３は、図２における研究室データ４１および知見者データ４２のデータ構造の一例を示す図である。
【図４】図４は、図１に示すシステムにおける研究室知見者管理装置１の動作を説明するフローチャートである。
【図５】図５は、図１に示すシステムにおける研究室知見者管理装置１により生成される研究室リストの一例を示す図である。
【発明を実施するための形態】
【００１５】
以下、図に基づいて本発明の実施の形態を説明する。
【００１６】
図１は、本発明の実施の形態に係る知見者シェアリングシステムの構成を示すブロック図である。図１に示すシステムでは、研究室知見者管理装置１は、（ａ）当該システムに登録されている複数の研究室１１−１〜１１−Ｎ、および研究室１１−ｉに所属する知見者を、研究室データおよび知見者データとして管理し、（ｂ）ネットワーク２に接続されており、ネットワーク２を介して相談者端末装置３から、検索要求および相談事項を受信し、（ｃ）検索要求および相談事項を受け付けると、登録されている複数の研究室に対して検索を行い、その相談事項に対応する研究室を発見し、（ｄ）発見した研究室を示す研究室リストを応答として相談者端末装置３へ送信する。
【００１７】
図１に示すシステムは、研究室知見者管理装置１、相談者端末装置３、および研究室端末装置４を備える。図１に示すシステムでは、研究室知見者管理装置１、相談者端末装置３、および研究室端末装置４は、ネットワーク２を介して互いに通信可能になっている。ネットワーク２は、ＬＡＮ（Local Area Network）、インターネットなどのコンピューターネットワークである。
【００１８】
例えば、研究室知見者管理装置１は、ネットワーク２に接続されたサーバーであり、相談者端末装置３は、相談者により操作される端末装置であり、例えば、パーソナルコンピューターやスマートフォンなどであり、研究室端末装置４は、各研究室１１−ｉに配置され、その研究室１１−ｉに所属する知見者（教授、准教授、講師、助教など）により操作される端末装置であり、例えば、パーソナルコンピューターやスマートフォンなどである。
【００１９】
端末装置３，４は、例えば、当該システム内の他の装置と所定の通信方式で通信可能な通信装置、ユーザー操作を検出する入力装置、各種情報をユーザー（相談者、知見者など）に対して表示する表示装置、コンピューターなどを備え、後述の動作を行うためのアプリケーションプログラムを予めインストールされ、内蔵コンピューターでそのアプリケーションを実行することで、後述の動作を行うようにしてもよいし、ウェブブラウザーなどで研究室知見者管理装置１にアクセスし、研究室知見者管理装置１から取得したデータ、スクリプト、プログラムなどに従って、後述の動作を行うようにしてもよい。
【００２０】
図２は、図１における研究室知見者管理装置１の構成を示すブロック図である。図２に示すように、研究室知見者管理装置１は、通信装置２１、記憶装置２２、および演算処理装置２３を備える。なお、研究室知見者管理装置１は、管理者ユーザーのユーザー操作を検出する入力装置および管理者ユーザーに対して各種情報を表示する表示装置を備えていてもよい。
【００２１】
通信装置２１は、例えば、ネットワーク２に接続されるネットワークインターフェイスであって、ネットワーク２に接続された他の装置（相談者端末装置３、研究室端末装置４など）とデータ通信を行う回路である。
【００２２】
また、記憶装置２２は、各種データやプログラムを格納可能な装置である。記憶装置２２としては、不揮発性メモリー、ハードディスクドライブなどの不揮発性の大容量記憶媒体が使用される。
【００２３】
また、演算処理装置２３は、ＣＰＵ（Central Processing Unit）、ＲＯＭ（Read Only Memory）、ＲＡＭ（Random Access Memory）などをコンピューターとして備え、ＲＯＭや記憶装置２２などからＲＡＭへプログラムをロードし、そのプログラムをＣＰＵで実行することにより、各種処理部として動作する。
【００２４】
この実施の形態では、記憶装置２２には、知見者シェアリングプログラム３１が格納されており、演算処理装置２３は、知見者シェアリングプログラム３１を読み出して実行することにより、通信処理部６１、相談事項受付部６２、研究室検索部６３、研究室データ管理部６４、および相談履歴管理部６５として動作する。
【００２５】
また、記憶装置２２には、研究室データ４１、知見者データ４２、および相談履歴データ５１が格納されている。
【００２６】
研究室データ４１は、当該システムに登録される複数の研究室１１−１〜１１−Ｎに対応する複数のレコードを含む。知見者データ４２は、その複数の研究室１１−１〜１１−Ｎに所属する複数の知見者に対応する複数のレコードを含む。
【００２７】
図３は、図２における研究室データ４１および知見者データ４２のデータ構造の一例を示す図である。
【００２８】
例えば、研究室データ４１の各レコード２０１は、各研究室１１−ｉの研究室ＩＤ、研究室名、機関名、教授ＩＤ、准教授ＩＤ、講師ＩＤ、助教ＩＤなどを含む。
【００２９】
研究室ＩＤは、当該研究室１１−ｉに固有の識別子を示す数値データである。研究室名は、当該研究室１１−ｉの名称を示す自由文章のテキストデータである。機関名は、当該研究室１１−ｉを有する大学、大学院、研究所などの機関の名称を示す自由文章のテキストデータである。教授ＩＤは、当該研究室１１−ｉに所属する教授の知見者ＩＤまたは当該研究室１１−ｉに所属する教授の知見者データへの参照である。准教授ＩＤは、当該研究室１１−ｉに所属する准教授の知見者ＩＤまたは当該研究室１１−ｉに所属する准教授の知見者データへの参照である。講師ＩＤは、当該研究室１１−ｉに所属する講師の知見者ＩＤまたは当該研究室１１−ｉに所属する講師の知見者データへの参照である。助教ＩＤは、当該研究室１１−ｉに所属する助教の知見者ＩＤまたは当該研究室１１−ｉに所属する助教の知見者データへの参照である。
【００３０】
なお、教授ＩＤ、准教授ＩＤ、講師ＩＤ、および助教ＩＤのそれぞれの数は、当該研究室１１−ｉに所属する教授、准教授、講師、および助教の数に対応する。
【００３１】
例えば、知見者データ４２の各レコード２０２は、各知見者の知見者ＩＤ、氏名、ポジション、論文リスト、研究内容、連絡先などを含む。
【００３２】
知見者ＩＤは、当該知見者個人に固有の識別子を示す数値データである。氏名は、当該知見者の氏名を示す自由文章のテキストデータである。ポジションは、当該知見者のポジション名（役職名）を示す定型のテキストデータまたは数値データである。論文リストは、当該知見者が著者となっている論文の名称、掲載文献名などを示す自由文章のテキストデータである。研究内容は、当該知見者の研究内容を示す自由文章のテキストデータである。連絡先は、当該知見者の連絡先を示すテキストデータ（例えば電子メールアドレスなど）である。
【００３３】
図２に戻り、通信処理部６１は、通信装置２１を制御して、所定の通信プロトコルで、ネットワーク２に接続された他の装置とのデータ通信を行う。
【００３４】
相談事項受付部６２は、検索要求とともに相談者の相談事項を受け付ける。この実施の形態では、相談事項受付部６２は、通信装置２１および通信処理部６１を使用して、検索要求とともに相談者の相談事項を相談者端末装置３から受信する。この実施の形態では、相談事項は、相談者端末装置３で相談者により入力された自由文章のテキストデータである。
【００３５】
研究室検索部６３は、（ａ）複数の知見者が所属する複数の研究室１１−１〜１１−Ｎを示す研究室データ４１および知見者データ４２に基づいて、その複数の知見者を検索して、受け付けられた相談事項に対応する知見者を発見し、（ｂ）発見した１または複数の知見者が所属する１または複数の研究室１１−ｉを示す研究室リストを上述の検索要求の応答として生成する。この実施の形態では、研究室検索部６３は、通信装置２１および通信処理部６１を使用して、その研究室リストを相談者端末装置３へ送信する。
【００３６】
この実施の形態では、研究室検索部６３は、（ａ）発見した知見者の属性情報（知見者データ４２における論文リスト、研究内容など）に基づいて、発見した知見者が所属する研究室１１−ｉの研究室スコアを導出し、（ｂ）上述の研究室リストにおいて、その研究室スコアに基づいて研究室１１−ｉを順番に配列する。
【００３７】
この実施の形態では、さらに、研究室検索部６３は、（ａ）発見した知見者の、研究室１１−ｉ内でのポジションに応じた知見者スコアを導出し、（ｂ）研究室１１−ｉに属する知見者の知見者スコアに基づいて研究室スコアを導出するようにしてもよい。
【００３８】
例えば、研究室検索部６３は、相談事項のテキストから１または複数のキーワードを抽出し、知見者スコアを、知見者データ４２における論文リストおよび研究内容においてそのキーワードが含まれる割合に対応する数値として導出する。
【００３９】
例えば、キーワードのｎパーセントが論文リストおよび研究内容に含まれていた場合、知見者スコアがｎとされる。したがって、論文リストおよび研究内容に含まれているキーワードが多いほど、知見者スコアが高くなる。
【００４０】
その際、ポジションに対応するポジション係数が予め設定され、研究室検索部６３は、そのポジション係数を元の知見者スコアに乗じた値を知見者スコアとしてもよい。例えば、ポジション係数は、ポジションに応じて異なる値とされ、助教、講師、准教授、教授の順に大きくなるようにしてもよい。例えば助教のポジション係数、講師のポジション係数、准教授のポジション係数、および教授のポジション係数が、それぞれ、１、１．１、１．５、および２などとされる。
【００４１】
また、例えば、研究室検索部６３は、ある研究室１１−ｉの研究室スコアを、その研究室１１−ｉに所属する複数の知見者の知見者スコアの総和として導出する。
【００４２】
なお、研究室検索部６３は、研究室スコアが所定閾値未満である研究室１１−ｉについては研究室リストに含まないようにしてもよい。また、研究室検索部６３は、研究室リストに含める研究室１１−ｉの数に上限を設けてもよい。
【００４３】
研究室データ管理部６４は、研究室データ４１および知見者データ４２を生成または更新する。研究室データ管理部６４は、（ａ）上述の複数の知見者のうちの１人の知見者の属性情報を示す知見者データ４２のレコード２０２を、その１人の知見者の所属する研究室１１−ｉの研究室データ４１のレコード２０１に関連付け、（ｂ）その１人の知見者が別の研究室１１−ｊに異動した場合、その１人の知見者の知見者データのレコード２０２の関連付けを、異動前の研究室１１−ｉの研究室データ４１のレコード２０１から異動後の研究室１１−ｊの研究室データ４１のレコード２０１へ切り替える。このようにすることで、異動する知見者の知見者データ４２のレコード２０２を編集する必要がないとともに、異動前後の研究室データ４１のレコード２０１の編集が最小限で済む。
【００４４】
例えば、研究室データ管理部６４は、管理者ユーザーからの要求または知見者（研究室端末装置４）からの要求に従って、上述のような研究室データ４１および知見者データ４２の生成、更新などを行う。
【００４５】
相談履歴管理部６５は、（ａ）研究室リストの送信先である相談者端末装置３から、通信装置２１および通信処理部６１を使用して、研究室リストに含まれている研究室１１−ｉのいずれかの知見者に対して相談申込の要求を受け付け、（ｂ）相談申込の要求を受け付けた場合、通信装置２１および通信処理部６１を使用して、その知見者の連絡先に、相談申込情報（相談者、相談事項など）を所定プロトコル（電子メール、ＳＮＳ（Social Networking Service）、専用アプリケーションによる通信など）で送信し、さらに、相談申込の日時、相談者、研究室、および知見者を１つのレコードとして相談履歴データ５１に追加して記憶する。その後、相談履歴管理部６５は、通信装置２１および通信処理部６１を使用して、所定プロトコルで、その相談が承諾されたか否かを示す応答を受信して、その応答から、その相談が承諾されたか否かを特定し１つのデータとして上述の相談履歴データ５１のレコードに追加する。
【００４６】
また、相談履歴管理部６５は、相談者（相談者端末装置３）から閲覧要求を受け付けた場合、その相談者に関するレコードを相談履歴データ５１から抽出し、抽出したレコードのリスト（相談履歴リスト）を応答として送信する。その相談履歴リストには、研究室、相談した知見者、相談事項などが示され、追加相談のためのボタンが示される。
【００４７】
そして、相談履歴管理部６５は、（ａ）相談履歴リストの送信先である相談者端末装置３から、通信装置２１および通信処理部６１を使用して、ある知見者への追加相談の要求を受け付け、（ｂ）追加相談の要求を受け付けた場合、通信装置２１および通信処理部６１を使用して、その知見者の連絡先に、追加相談情報（相談者、相談事項など）を所定プロトコル（電子メール、ＳＮＳ、専用アプリケーションによる通信など）で送信し、さらに、元の相談のレコードに関連付けて追加相談のレコードを相談履歴データ５１に追加して記憶する。その後、相談履歴管理部６５は、通信装置２１および通信処理部６１を使用して、所定プロトコルで、その追加相談が承諾されたか否かを示す応答を受信して、その応答から、その追加相談が承諾されたか否かを特定し１つのデータとして上述の相談履歴データ５１の追加相談のレコードに追加する。
【００４８】
なお、相談履歴管理部６５は、知見者（研究室端末装置４）から閲覧要求があった場合、その研究室１１−ｉに関するレコードを相談履歴データ５１から抽出し、抽出したレコードのリスト（相談履歴リスト）を応答として送信する。その相談履歴リストには、研究室、相談した知見者、相談事項などが示される。
【００４９】
これにより、相談者は、追加相談時に、元の相談のときの知見者を選択できるとともに、同じ研究室の別の知見者を簡単に選択できる。また、知見者は、追加相談時に、元の相談の相談事項などを確認することができる。
【００５０】
次に、当該実施の形態に係る知見者シェアリングシステムの動作について説明する。図４は、図１に示すシステムにおける研究室知見者管理装置１の動作を説明するフローチャートである。
【００５１】
まず、相談者は、相談を申し込むべき研究室１１−ｉの知見者を選択するために、相談者端末装置３を操作して、相談事項を入力し、検索要求および相談事項を、研究室知見者管理装置１に送信する。例えば、相談者端末装置３は、相談者のユーザー操作に従って、ＨＴＴＰ（Hypertext Transfer Protocol）で、研究室知見者管理装置１の所定のＵＲＬにアクセスし、相談事項を入力するためのウェブページをダウンロードし、そのウェブページの入力フィールドに対して相談事項の入力が完了すると、研究室知見者管理装置１に、検索要求および入力された相談事項（テキストデータ）を送信する。
【００５２】
研究室知見者管理装置１では、相談事項受付部６２は、通信処理部６１および通信装置２１を使用して、検索要求および相談事項（テキストデータ）を受信する（ステップＳ１）。検索要求および相談事項が受信されると、研究室検索部６３は、研究室データ４１に登録されている研究室１１−１〜１１−Ｎから、未処理の（研究室スコアを導出していない）研究室１１−ｉを１つ選択し（ステップＳ２）、研究室データ４１および知見者データ４２に基づいて、その研究室１１−ｉに所属する知見者を特定し（ステップＳ３）、特定した各知見者の知見者スコアを上述のようにして導出し（ステップＳ４）、その研究室１１−ｉに所属するすべての知見者の知見者スコアから、選択した研究室１１−ｉの研究室スコアを導出する（ステップＳ５）。
【００５３】
そして、研究室検索部６３は、研究室データ４１に登録されている研究室１１−１〜１１−Ｎのすべてについて研究室スコアを導出したか否かを判定し（ステップＳ６）、未処理の（研究室スコアを導出していない）研究室１１−ｉがあれば、ステップＳ２に戻り、未処理の研究室１１−ｉについて同様に研究室スコアを導出する。研究室検索部６３は、すべての研究室１１−１〜１１−Ｎの研究室スコアを導出した場合、研究室スコアに基づいて研究室１１−ｉを配列させた研究室リストを生成し（ステップＳ７）、通信処理部６１および通信装置２１を使用して、検索要求の送信元である相談者端末装置３に送信する（ステップＳ８）。
【００５４】
図５は、図１に示すシステムにおける研究室知見者管理装置１により生成される研究室リストの一例を示す図である。例えば図５に示すように、研究室スコアが最も高い研究室１１−ｉが先頭に示され、その研究室１１−ｉの名称に関連付けてその研究室１１−ｉに所属している知見者のリストが知見者スコアとともに示される。さらに、各知見者に関連付けて、知見者データ４２に登録されている論文リストおよび研究内容が示されるとともに、相談申込キーがソフトキーとして示される。つまり、相談者端末装置３は、このような研究室リストを受信し表示する。相談者が、相談者端末装置３を操作して、相談申込キーを押下すると、相談者端末装置３は、相談申込要求を研究室知見者管理装置１に送信する。研究室知見者管理装置１の相談履歴管理部６５は、相談申込要求を受信すると、上述のように、知見者へ通知するとともに、当該相談申込に関するレコードを相談履歴データ５１に追加する。
【００５５】
以上のように、上記実施の形態によれば、相談事項受付部６２は、検索要求とともに相談者の相談事項を受け付ける。研究室検索部６３は、（ａ）複数の知見者が所属する複数の研究室１１−１〜１１−Ｎを示す研究室データ４１に基づいて、その複数の知見者を検索して、相談事項に対応する知見者を発見し、（ｂ）発見した知見者が所属する研究室１１−ｉを示す研究室リストを検索要求の応答として生成する。
【００５６】
これにより、相談者に対して相談事項に応じた知見者が多く所属する研究室が紹介される。一般的に、１つの研究室に所属する複数の知見者は、同一分野で類似の研究を行っていることが多い。また、一般的に、１つの研究室内では、所属する知見者間で統一的な知見が共有されているため、相談者が、複数の知見者から所望の知見者をその都度選択しても、一連の相談事項に対して提供されるアドバイスなどの整合性が高くなる。また、１つの研究室内の知見者間で今までの相談の過程が共有されやすい。したがって、外部機関に所属する知見者の能力を共有して相談事項の解決を円滑に進めることができる。
【００５７】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５８】
例えば、上記実施の形態では、相談事項受付部６２、研究室検索部６３、研究室データ管理部６４、および相談履歴管理部６５は、知見者シェアリングシステムとして１つの装置（研究室知見者管理装置１）に実装されているが、その代わりに、互いに通信可能な複数の装置に分散して知見者シェアリングシステムとして実装されてもよい。
【００５９】
また、上記実施の形態において、研究室データ４１、知見者データ４２、および相談履歴データ５１は、研究室知見者管理装置１とは別のデータベースサーバー（リレーショナルデータベースなど）に格納され管理されるようにしてもよい。
【００６０】
さらに、上記実施の形態において、知見者シェアリングプログラム３１は、可搬性のある、コンピューター読取可能な記録媒体に記憶されていてもよく、その場合には、その記録媒体から記憶装置２２へ知見者シェアリングプログラム３１がインストールされる。
【００６１】
さらに、上記実施の形態において、入力装置は、キーボード、マウス、タッチパネルなどの装置であり、表示装置は、ディスプレイパネル、各種インジケーターなどである。
【産業上の利用可能性】
【００６２】
本発明は、例えば、知見者の紹介システム、仲介システムなどに適用可能である。
【符号の説明】
【００６３】
１  研究室知見者管理装置
１１−１〜１１−Ｎ  研究室
６２  相談事項受付部
６３  研究室検索部
６４  研究室データ管理部
【図１】
2020027444.tif 000003
【図２】
2020027444.tif 000004
【図３】
2020027444.tif 000005
【図４】
2020027444.tif 000006
【図５】
2020027444.tif 000007